(57)【要約】      （修正有）【課題】電子携帯端末を充電しながら立てることが可能であり，様々な大きさないしコネクタ形状に対応可能な電子携帯端末スタンドを提供する。【解決手段】電子携帯端末スタンド１は，コネクタ２を取り付けて使用されるものであり，コネクタ２を固定するためのコネクタ固定部材６と，コネクタ固定部材６を設置するための第一設置孔７を備えるベース３と，ベース３の上面に設けられ，コネクタ２の取付部位を略中心として左右にスライド移動可能な左右一対の側壁４，５と，を備えている。【選択図】図１
2018195933.tif 000002
【特許請求の範囲】
【請求項１】
コネクタを取り付けて使用される電子携帯端末スタンドであって，
コネクタを固定するためのコネクタ固定部材と，
前記コネクタ固定部材を設置するための第一設置孔を備えるベースと，
前記ベースの上面に設けられ，前記コネクタの取付部位を略中心として移動可能な左右一対の側壁と，
を備えていることを特徴とする電子携帯端末スタンド。
【請求項２】
前記コネクタ固定部材が，左右一対でそれぞれ嵌合により一体化するコネクタ固定第一部材ならびにコネクタ固定第二部材からなることを特徴とする請求項１に記載の電子携帯端末スタンド。
【請求項３】
前記コネクタ固定部材が，前記第一設置孔に設置する際の安定化を図るための弾性脚を備えていることを特徴とする請求項１又は２に記載の電子携帯端末スタンド。
【請求項４】
前記コネクタ固定部材を安定化させるためのアタッチメント部材と，
前記アタッチメント部材を設置するための第二設置孔と，をさらに備えていることを特徴とする請求項１から３のいずれか１項に記載の電子携帯端末スタンド。
【請求項５】
前記一対の側壁の対向面が，それぞれ縦方向の凹部に形成されていることを特徴とする請求項１から４のいずれか１項に記載の電子携帯端末スタンド。
【請求項６】
前記凹部が，第一凹部と第二凹部とで段付きになる二段凹部とされていることを特徴とする請求項５に記載の電子携帯端末スタンド。
【請求項７】
前記一対の側壁のそれぞれに，縦方向の切り欠きが設けられていることを特徴とする請求項１から６のいずれか１項に記載の電子携帯端末スタンド。
【請求項８】
前記ベースの上面に，前記一対の側壁をスライド移動させるためのスライド溝が形成されていることを特徴とする請求項１から７のいずれか１項に記載の電子携帯端末スタンド。
【請求項９】
請求項１ないし６の電子携帯端末スタンドが，ベース（３）と，左右一対の側壁（４，５）と，（６）から（６’’’）のいずれかから選択されるコネクタ固定部材と，第一設置孔（７）と，アタッチメント部材（１０）と，第二設置孔（１１）と，からなることを特徴とする電子携帯端末スタンド。
【発明の詳細な説明】
【技術分野】
【０００１】
本発明は，電子携帯端末のスタンドに関する。さらに詳しくいうと本発明は，構成ないし形状に工夫を与えることにより，様々な大きさや種類のスマートフォンやタブレット端末に対応可能な電子携帯端末スタンドに関する。
【背景技術】
【０００２】
電子携帯端末は，スマートフォンとタブレット端末という２つに大別される。また，いずれの電子携帯端末についても，アンドロイド端末もしくはiOS端末など種類の違いにより，用いられるコネクタの形状が異なる。加えて，その大きさについても，4.7インチのものから12インチのものまで，様々である。
これら電子携帯端末については，消費電力が比較的大きいため，ほぼ毎日充電を行う必要がある。そのため，充電を行うとともに，電子携帯端末を安定化させるための種々のスタンドに関する技術が提案されている（特許文献１から４）。
【先行技術文献】
【特許文献】
【０００３】
【特許文献１】意匠登録第１５０３８８６号公報
【特許文献２】意匠登録第１５３８７３２号公報
【特許文献３】意匠登録第１５７１２５２号公報
【特許文献４】意匠登録第１５７１０３２号公報
【発明の概要】
【発明が解決しようとする課題】
【０００４】
特許文献１ないし特許文献３には，スマートフォンスタンドに関する技術が開示されている。
かかる先行技術は，スマートフォンを立てる際の左右両側が空いており，これにより，様々な大きさの電子携帯端末に対応できる点において有用である。しかるに，左右両側が空いているがゆえに，電子携帯端末が左右にずれることもあり，また，充電を行うための構成を備えていない点において課題を有する。
【０００５】
特許文献４には，充電を行うことが可能なスマートフォンスタンドに関する技術が開示されている。
かかる先行技術は，スマートフォンを立てるための一定形状の溝を有するとともに，底面にコネクタを通すための孔を有しており，これにより，充電を行いながら，スマートフォンを立てることができる点において有用である。
しかるに，かかる先行技術は，一定の大きさのスマートフォンにしか対応できず，また，コネクタの固定が不安定となるため，コネクタを安定的に差し込む作業自体が困難である点において課題を有するものである。
【０００６】
上記事情を背景として，本発明では，電子携帯端末を充電しながら立てることが可能であり，様々な大きさないしコネクタ形状に対応可能な電子携帯端末スタンドの開発を課題とする。
【課題を解決するための手段】
【０００７】
発明者は，鋭意研究の結果，電子携帯端末の充電口が，底面中央にあることがほとんどであることに着目し，スタンド中央部にコネクタを固定するためのコネクタ固定部材を設けるとともに，コネクタの固定を行った際の当該コネクタの両側を移動可能な側壁とすることにより，電子携帯端末を安定的に立てるとともに，様々な大きさないしコネクタ形状に対応可能な電子携帯端末スタンドに想到し，発明を完成させたものである。
【０００８】
本発明は，以下の構成からなる。
本発明の第一の構成は，コネクタを取り付けて使用される電子携帯端末スタンドであって，
コネクタを固定するためのコネクタ固定部材と，
前記コネクタ固定部材を設置するための第一設置孔を備えるベースと，
前記ベースの上面に設けられ，前記コネクタの取付部位を略中心として移動可能な左右一対の側壁と，
を備えていることを特徴とする電子携帯端末スタンドである。
【０００９】
本発明の第二の構成は，前記コネクタ固定部材が，左右一対でそれぞれ嵌合により一体化するコネクタ固定第一部材ならびにコネクタ固定第二部材からなることを特徴とする第一の構成に記載の電子携帯端末スタンドである。
本発明の第三の構成は，前記コネクタ固定部材が，前記第一設置孔に設置する際の安定化を図るための弾性脚を備えていることを特徴とする第一又は第二の構成に記載の電子携帯端末スタンドである。
本発明の第四の構成は，前記コネクタ固定部材を安定化させるためのアタッチメント部材と，
前記アタッチメント部材を設置するための第二設置孔と，をさらに備えていることを特徴とする第一から第三の構成に記載の電子携帯端末スタンドである。
【００１０】
本発明の第五の構成は，前記一対の側壁の対向面が，それぞれ縦方向の凹部に形成されていることを特徴とする第一から第四の構成に記載の電子携帯端末スタンドである。
本発明の第六の構成は，前記凹部が，第一凹部と第二凹部とで段付きになる二段凹部とされていることを特徴とする第五の構成に記載の電子携帯端末スタンドである。
本発明の第七の構成は，前記一対の側壁のそれぞれに，縦方向の切り欠きが設けられていることを特徴とする第一から第六の構成に記載の電子携帯端末スタンドである。
本発明の第八の構成は，前記ベースの上面に，前記一対の側壁をスライド移動させるためのスライド溝が形成されていることを特徴とする第一から第七の構成に記載の電子携帯端末スタンドである。
【００１１】
本発明の第九の構成は，第一ないし第六の構成の電子携帯端末スタンドが，ベース（３）と，左右一対の側壁（４，５）と，（６）から（６’’’）のいずれかから選択されるコネクタ固定部材と，第一設置孔（７）と，アタッチメント部材（１０）と，第二設置孔（１１）と，からなることを特徴とする電子携帯端末スタンドである。
【発明の効果】
【００１２】
本発明により，電子携帯端末を充電しながら立てることが可能であり，様々な大きさないしコネクタ形状に対応可能な電子携帯端末スタンドの提供が可能となった。
【図面の簡単な説明】
【００１３】
【図１】本発明の一実施の形態における電子携帯端末スタンドの構成を示す斜視図
【図２】本発明の一実施の形態における電子携帯端末スタンドを正面斜め上方から見た図
【図３】本発明の一実施の形態における電子携帯端末スタンドの構成を示す正面図
【図４】本発明の一実施の形態における電子携帯端末スタンドの構成を示す背面図
【図５】本発明の一実施の形態における電子携帯端末スタンドの構成を示す平面図
【図６】本発明の一実施の形態における電子携帯端末スタンドの構成を示す底面図
【図７】本発明の一実施の形態における電子携帯端末スタンドの構成を示す右側面図
【図８】本発明の一実施の形態における電子携帯端末スタンドの各構成部材を示す分解表面図
【図９】本発明の一実施の形態における電子携帯端末スタンドの各構成部材を示す分解裏面図
【図１０】本発明の電子携帯端末スタンドの試作例を示した図
【図１１】本発明の電子携帯端末スタンドの試作例の使用状態を示した図
【発明を実施するための形態】
【００１４】
以下，好適な実施の形態を用いて本発明をさらに具体的に説明する。ただし，下記の実施の形態は本発明を具現化した例に過ぎず，本発明はこれに限定されるものではない。
【００１５】
＜＜Ｉ．電子携帯端末スタンドの概要＞＞
本発明の電子携帯端末スタンドは，コネクタ固定部材，ベース，側壁を必須の構成要素として備えている。
すなわち，本発明の電子携帯端末スタンドは，現在主流であるマイクロUSBケーブル，USB-type Cケーブル，lightningケーブルなど，様々なコネクタ形状に対応したコネクタ固定部材により，コネクタがベースの略中央に固定されるとともに，移動可能な左右一対の側壁により，電子携帯端末を安定的に立てることが可能となるものである。
そして，これにより，いったんコネクタと側壁の設定を行えば特に注視しなくても（比較的暗い中でも），電子携帯端末を置くことが容易になるとともに，自動的にコネクタ端子が充電口に嵌合し，充電を行うことが可能となる。
【００１６】
コネクタ固定部材は，コネクタを固定するための部材であり，コネクタを固定した形で，後述するベースに備えられた第一設置孔に設置されるものである。
コネクタ固定部材は，かかる機能を果たす限り，特に限定されるものではなく，種々の形状ないし構成のものとすることができる。
【００１７】
コネクタ固定部材は，左右一対でそれぞれ嵌合により一体化するコネクタ固定第一部材ならびにコネクタ固定第二部材からなることが好ましい。かかる好ましい構成によれば，種々の形状のコネクタへの対応ならびにコネクタの設定をより容易とすることができ，本発明の電子携帯端末スタンドの取扱性を向上させることができる。
コネクタ固定第一部材ならびにコネクタ固定第二部材については，例えば図５，図６，図８，図９に示すような構成とすればよい。
【００１８】
コネクタ固定部材は，弾性脚を備えることが好ましい。かかる好ましい構成によれば，第一設置孔にコネクタ固定部材を設置する際の安定化を図るとともに，製造によって生じうるコネクタ固定部材や第一設置孔の多少の大きさの差によらず，コネクタ固定部材の安定的な設置が可能となり，本発明の電子携帯端末スタンドの性能ならびに生産歩留まりを向上させることができる。
弾性脚は，図８，図９に示すように，コネクタ固定部材に一体化されたプラスチックなど弾性素材の部材とすればよい。弾性脚としては，かかる構成に限定する必要はなく，バネ状部材やゴム状部材を用いた構成としてもよい。
【００１９】
本発明においては，コネクタ固定部材の設置を安定化させるためのアタッチメント部材と，当該アタッチメント部材を設置するための第二設置孔と，をさらに備えることが好ましい。かかる好ましい構成によれば，コネクタ固定部材の取り外しを容易にするとともにコネクタ固定部材の設置を安定化させることが可能となり，本発明の電子携帯端末スタンドの取扱性を向上させることができる。
アタッチメント部材は，典型的には，図１，図５，図８，図９に示すように，第二設置孔に対応した平面状部材であって左右両側に弾性脚を備えた部材とすればよい。
【００２０】
本発明において，ベースは，コネクタ固定部材や側壁を備えるための部材であって，電子携帯端末スタンド全体を支える基礎としての部材である。ベースは，かかる機能を果たす限り，特に限定されるものではなく，種々の形状ないし構成のものとすることができる。
ベースは，典型的には，図１から図９に示されるように，円盤状の部材であって，これを支えるための４脚の脚を備えた構成とすればよい。当然のことながらベースは，多角形状のような他の形状としてもよく，また，脚については４脚に限定されず，また，脚を備えないような構成としてもよい。
【００２１】
側壁は，ベースの上面に設けられ，コネクタの取付部位を略中心として，左右に移動可能であるともに，左右両側から，中心に位置する電子携帯端末を安定化させる役割を果たす。側壁は，かかる役割を果たす限り，特に限定されるものではなく，種々の形状ないし構成のものとすることができる。
側壁の移動については，移動が可能である限り，特に限定されるものではないが，典型的には，図８に示すように，ベースの上面にスライド溝を形成することにより，このスライド溝に沿って側壁をスライド移動させるような構成とすればよい。
【００２２】
一対の側壁は，これらの対向面が，それぞれ縦方向の凹部に形成されていることが好ましい。かかる好ましい構成によれば，電子携帯端末の形状に合わせて当該電子携帯端末を安定化させることができ，本発明の電子携帯端末スタンドの性能を向上させることができる。
また，側壁について，凹部が，第一凹部と第二凹部とで段付きになる二段凹部とされていることが好ましい。かかる好ましい構成によれば，電子携帯端末の形状に合わせて当該電子携帯端末をより安定化させることが可能になるとともに，形状の異なる他の機器に対してもスタンド機能を果たすことが可能となる。このような機器として例えば電子タバコが挙げられ，電子タバコの充電についてはUSBによって行うことができることから，充電も可能となるものである。
【００２３】
さらに，側壁について，それぞれに，縦方向の切り欠きが設けられていることが好ましい。かかる好ましい構成によれば，切り欠きに沿って電子携帯端末を置くことが可能となり，本発明の電子携帯端末スタンドを，充電を行わない場合の視聴用スタンドとして用いることが可能となる。
【００２４】
＜＜II．実施の形態＞＞
次に，本発明の一実施の形態における電子携帯端末スタンドの構成について，図１から図９を参照しながら説明する。
【００２５】
図１は，本発明の一実施の形態における電子携帯端末スタンドの構成を示す斜視図，図２は，当該電子携帯端末スタンドを正面斜め上方から見た図，図３は，当該電子携帯端末スタンドの構成を示す正面図，図４は，当該電子携帯端末スタンドの構成を示す背面図，図５は，当該電子携帯端末スタンドの構成を示す平面図，図６は，当該電子携帯端末スタンドの構成を示す底面図，図７は，当該電子携帯端末スタンドの構成を示す右側面図，図８は，当該電子携帯端末スタンドの各構成部材を示す分解表面図，図９は，当該電子携帯端末スタンドの各構成部材を示す分解裏面図である。
【００２６】
図１から図５示すように，本実施の形態の電子携帯端末スタンド１は，コネクタ２を取り付けて使用される電子携帯端末スタンドである。
図１から図７に示すように，電子携帯端末スタンド１は，コネクタ２を固定するためのコネクタ固定部材６と，当該コネクタ固定部材６を設置するための第一設置孔７を備えるベース３と，当該ベース３の上面に設けられ，コネクタ２の取付部位を略中心として左右にスライド移動可能な左右一対の側壁４，５と，を備えている。
なお，図８に示すように，ベース３の上面には，左右一対の側壁４，５をスライド移動させるための，左右に延びるスライド溝８が形成されている（図８においては，図面作成の都合上，上下に延びるように描かれている）。また，図８，図９に示すように，コネクタ固定部材としては，様々なコネクタ形状に対応させることができるよう，コネクタ固定部材６のほか，内部形状等の異なるコネクタ固定部材６’,６’’,６’’’が用意されている。
【００２７】
本実施の形態の電子携帯端末スタンド１の構成によれば，様々なコネクタ形状に対応したコネクタ固定部材６により，コネクタ２がベース３の略中央に固定されるとともに，スライド移動可能な左右一対の側壁４，５により，電子携帯端末を安定的に立てることが可能となる。そして，これにより，いったんコネクタ２と側壁４，５の設定を行えば特に注視しなくても（比較的暗い中でも），電子携帯端末を置くことが容易になるとともに，自動的にコネクタ２が充電口に嵌合し，充電を行うことが可能となる。
すなわち，本実施の形態の電子携帯端末スタンド１の構成によれば，電子携帯端末を充電しながら立てることが可能であり，様々な大きさないしコネクタ形状に対応可能な電子携帯端末スタンドの提供が可能となる。
【００２８】
図１，図２，図５，図６に示すように，コネクタ固定部材６は，左右一対でそれぞれ嵌合により一体化するコネクタ固定第一部材６ａならびにコネクタ固定第二部材６ｂからなっている。ここで，コネクタ固定第一部材６ａとコネクタ固定第二部材６ｂの嵌合は，図８，図９に示すように，コネクタ固定第一部材６ａのコネクタ固定第二部材６ｂとの接合面に形成された小突起６ｃを，コネクタ固定第二部材６ｂのコネクタ固定第一部材６ａとの接合面に形成された嵌合孔（不図示）に差し込むことによって行われる。
かかる構成によれば，種々の形状のコネクタへの対応ならびにコネクタの設定をより容易とすることができ，本実施の形態の電子携帯端末スタンド１の取扱性を向上させることができる。
図１，図５，図６に示すように，コネクタ固定第一部材６ａならびにコネクタ固定第二部材６ｂの背面側には，それぞれ，第一設置孔７に設置する際の安定化を図るための弾性脚９ａ，９ｂが備えられている。ここで，弾性脚９ａ，９ｂは，図８，図９に示すように，それぞれコネクタ固定第一部材６ａ，コネクタ固定第二部材６ｂに一体化されたプラスチックなど弾性素材の部材からなっている。
かかる構成によれば，製造によって生じうるコネクタ固定部材６や第一設置孔７の多少の大きさの差があったとしても，コネクタ固定部材６の安定的な設置が可能となり，本実施の形態の電子携帯端末スタンド１の性能ならびに生産歩留まりを向上させることができる。
【００２９】
図１，図５に示すように，電子携帯端末スタンド１は，コネクタ固定部材６の設置を安定化させるためのアタッチメント部材１０と，当該アタッチメント部材１０を設置するための第二設置孔１１と，をさらに備えている。ここで，第二設置孔１１は，コネクタ固定部材６の正面側に設けられている。また，アタッチメント部材１０は，第二設置孔１１に対応した平面状部材であって左右両側に弾性脚１０ａ，１０ｂを備えた部材となっている（図８，図９を参照）。
かかる構成によれば，コネクタ固定部材６の取り外しを容易にするとともにコネクタ固定部材６の設置を安定化させることが可能となり，本実施の形態の電子携帯端末スタンド１の取扱性を向上させることができる。
【００３０】
図１，図２，図３，図５に示すように，左右一対の側壁４，５の対向面は，それぞれ縦方向の凹部４ｃ，５ｃに形成されている。
かかる構成によれば，電子携帯端末の形状に合わせて当該電子携帯端末を安定化させることができ，本実施の形態の電子携帯端末スタンド１の性能を向上させることができる。
また，側壁４について，凹部４ｃは，第一凹部４ａと第二凹部４ｂとで段付きになる二段凹部とされている。また，凹部５ｃも，第一凹部５ａと第二凹部５ｂとで段付きになる二段凹部とされている。
かかる構成によれば，電子携帯端末の形状に合わせて当該電子携帯端末をより安定化させることが可能になるとともに，形状の異なる他の機器に対してもスタンド機能を果たすことが可能となる。
【００３１】
図１，図２，図３，図４，図７に示すように，側壁４について，縦方向の切り欠き４ｄが設けられている。また，側壁５についても，縦方向の切り欠き５ｄが設けられている。
かかる構成によれば，切り欠き４ｄ，５ｄに沿って電子携帯端末を置くことが可能となり，電子携帯端末スタンド１を，充電を行わない場合の視聴用スタンドとして用いることが可能となる。
【００３２】
図１から図９に示すように，電子携帯端末スタンド１は，ベース３を支えるための４脚の脚１２ａ，１２ｂ，１２ｃ，１２ｄを備えている。脚１２ａ，１２ｂ，１２ｃ，１２ｄは，ベース３の底面の正面側と背面側にそれぞれ２つずつ形成された凹所１３ａ，１３ｂ，凹所１３ｃ，１３ｄに嵌着することによって取り付けられている（図８，図９を参照）。
なお，図６，図８中，参照符号１４は，コネクタ２のケーブルを導出するための案内溝を示している。
【００３３】
＜＜III．試作例＞＞
図１０に本発明の電子携帯端末スタンドの試作例を，図１１に本発明の電子携帯端末スタンド試作例の使用状態を示す。なお，本試作例については，便宜上，先端がプラスチックで形成された仮のコネクタを用いていることから，本来ならば，金属端子として中央部分に備えられるコネクタ端子が白色となっている。
かかる試作例は，図８ないし図９に示される一連の部材からなるものであり，容易に組み合わせることが可能である。すなわち，試作例は，ベース（３）と，左右一対の側壁（４，５）と，（６）から（６’’’）のいずれかから選択されるコネクタ固定部材と，第一設置孔（７）と，アタッチメント部材（１０）と，第二設置孔（１１）とからなるものであり，素材自体をプラスチック素材として形成することにより，電子携帯端末スタンドを安価かつ機能的なものとすることができる。
【符号の説明】
【００３４】
１  電子携帯端末スタンド
２  コネクタ
３  ベース
４，５  側壁
４ａ，５ａ  第一凹部
４ｂ，５ｂ  第二凹部
４ｃ，５ｃ  凹部
４ｄ，５ｄ  切り欠き
６  コネクタ
６ａ  コネクタ固定第一部材
６ｂ  コネクタ固定第二部材
６ｃ  小突起
７  第一設置孔
８  スライド溝
９ａ，９ｂ，１０ａ，１０ｂ  弾性脚
１０  アタッチメント部材
１１  第二設置孔
１２ａ，１２ｂ，１２ｃ，１２ｄ  脚
１３ａ，１３ｂ，１３ｃ，１３ｄ  凹所
１４  案内溝
【図１】
2018195933.tif 000003
【図２】
2018195933.tif 000004
【図３】
2018195933.tif 000005
【図４】
2018195933.tif 000006
【図５】
2018195933.tif 000007
【図６】
2018195933.tif 000008
【図７】
2018195933.tif 000009
【図８】
2018195933.tif 000010
【図９】
2018195933.tif 000011
【図１０】
2018195933.tif 000012
【図１１】
2018195933.tif 000013